(57)【要約】【課題】カード排出時の挿入口からのカードの飛び出しと、カードの排出不良の双方を防止できるカード用コネクタ装置の提供。【解決手段】カード挿抜方向に移動するスライダ７と、このスライダ７を排出方向に付勢する主・付勢部材を形成するコイルばね８とを含むカード排出機構を備え、カード３の排出時には、所定の装着位置でカード３が一旦装置奥側に押圧されることにより、所定の装着位置におけるスライダ７のロックが解除されるものにあって、カード３の排出時に、スライダ７を、所定の装着位置と所定の排出位置との間の所定の中途位置まで付勢する補助・付勢部材、例えばコイルばね８を備えた構成にしてある。【選択図】　　　図３
2004086725.tif 000002
【特許請求の範囲】
【請求項１】
挿入口から挿入された接触部を有するカードと係合してカード挿抜方向に移動するスライダと、このスライダをカード排出方向へ付勢する主・付勢部材と、ハート型カム溝と、このハート型カム溝内を摺動し、上記スライダを所定の装着位置にロックする摺動部材とを含むカード排出機構と、
上記カードの接触部が接触する端子部材とを備え、
上記カードの排出時には、上記所定の装着位置で上記カードが一旦装置奥側に押圧されることにより、上記ロックが解除されるものにあって、
上記カードの排出時に、上記スライダを、上記所定の装着位置と上記所定の排出位置との間の所定の中途位置まで付勢する補助・付勢部材を備えたことを特徴とするカード用コネクタ装置。
【請求項２】
上記請求項１記載の発明において、
上記所定の中途位置を、上記カードの接触部と上記端子部材との接触状態が解かれる位置に設定したことを特徴とするカード用コネクタ装置。
【請求項３】
上記請求項１または２記載の発明において、
上記主・付勢部材と上記補助・付勢部材のそれぞれが、コイルばねから成るとともに、
上記補助・付勢部材を形成するコイルばねの長さ寸法を、上記主・付勢部材を形成するコイルばねの長さ寸法に比べて短く設定したことを特徴とするカード用コネクタ装置。
【請求項４】
上記請求項１〜３のいずれかに記載の発明において、
上記スライダが、上記カードの側縁部に形成される凹部に係合する弾性部材を有することを特徴とするカード用コネクタ装置。
【請求項５】
上記請求項３または４記載の発明において、
上記スライダが、上記カードの前縁部と係合する係合腕部を有し、
上記補助・付勢部材を形成するコイルばねが、上記係合腕部を付勢可能となるように配置したことを特徴とするカード用コネクタ装置。
【発明の詳細な説明】
【０００１】
【発明の属する技術分野】
本発明は、情報記憶機能を有するカードが装着されるカード用コネクタ装置に関する。
【０００２】
【従来の技術】
従来のカード用コネクタ装置として、カード排出機構を備えたものがある。このカード排出機構は、挿入口から挿入された接触部を有するカードと係合してカード挿抜方向に移動するスライダと、このスライダをカード排出方向へ付勢するばねと、ハート型カム溝と、このハート型カム溝内を摺動し、スライダを所定の装着位置にロックする摺動部材とを含んでいる。
【０００３】
この従来技術において、カードの排出時には、所定の装着位置に保持されているカードが一旦装置奥側に向って押圧される。これによりハート型カム溝のロック部に係止されている摺動部材がハート型カム溝のロック部から離れ、スライダのロックが解除される。カードに対する押圧力を解くと、ばねの力によりスライダがカード排出方向に移動し、このスライダによってカードが所定の排出位置まで排出される。
【０００４】
なお、この種の公知技術としては、特開２０００−２５１０２４に開示されるものがある。
【０００５】
【発明が解決しようとする課題】
上記した従来技術では、ばねの力を強く設定すると、カードの排出時にスライダが勢いよく移動してしまい、カードの挿入口からカードが飛び出す懸念がある。
【０００６】
このような排出時におけるカードの挿入口からの飛び出しを防止するために、ばねの力を弱く設定することが考えられる。しかし、このようにばね力を弱く設定すると、所定の装着位置におけるカードの接触部と、コネクタ装置の端子部材との接触圧によるカードの保持力がばねの力よりも大きいときには、カードを排出位置まで移動させられなくなる事態、すなわちカード排出不良を生じてしまう。
【０００７】
このように従来技術にあっては、ばねの力の設定が良好になされていない場合に、カードの飛び出し、あるいは排出不良を生じ、装置の信頼性が低下する問題があった。
【０００８】
本発明は、上述した従来技術における実状からなされたもので、その目的は、スライダ等を含むカード排出機構を備えたものにあって、カード排出時の挿入口からのカードの飛び出しと、カードの排出不良の双方を防止することができるカード用コネクタ装置を提供することにある。
【０００９】
【課題を解決するための手段】
上記目的を達成するために、本発明は、挿入口から挿入された接触部を有するカードと係合してカード挿抜方向に移動するスライダと、このスライダをカード排出方向へ付勢する主・付勢部材と、ハート型カム溝と、このハート型カム溝内を摺動し、上記スライダを所定の装着位置にロックする摺動部材とを含むカード排出機構と、上記カードの接触部が接触する端子部材とを備え、上記カードの排出時には、上記所定の装着位置で上記カードが一旦装置奥側に押圧されることにより、上記ロックが解除されるものにあって、上記カードの排出時に、上記スライダを、上記所定の装着位置と上記所定の排出位置との間の所定の中途位置まで付勢する補助・付勢部材を備えたことを特徴としている。
【００１０】
このように構成した本発明は、カードの接触部と、端子部材との接触による接触圧に基づく保持力がカードを拘束しなくなる位置を、あらかじめ所定の中途位置として設定することができる。
【００１１】
このように所定の中途位置を設定すると、カードの排出時には、所定の中途位置までは、主・付勢部材の付勢力と補助・付勢部材の付勢力とを合わせた強い付勢力がスライダをカード排出方向に移動させる力として与えられる。これにより、所定の装着位置における接触圧によるカードの保持力に抗してスライダを確実に移動させることができる。すなわち、スライダと係合するカードを排出方向へ移動させることができる。
【００１２】
また、上述した所定の中途位置から所定の排出位置までの間は、カードが接触圧による保持力によって拘束されなくなることから、主・付勢部材の比較的弱い付勢力だけでスライダを所定の排出位置まで緩やかに移動させることができる。すなわち、スライダを介してカードを挿入口から飛び出すことなく移動させることができる。
【００１３】
このように本発明は、主・付勢部材の付勢力と補助・付勢部材の付勢力を適宜組み合わせることにより、挿入口からのカードの飛び出し防止と、カードの排出不良の防止の双方を実現させることができる。
【００１４】
また本発明は、上記発明において、上記所定の中途位置を、上記カードの接触部と上記端子部材との接触状態が解かれる位置に設定したことを特徴としている。
【００１５】
このように構成した本発明は、カードの排出時には、接触圧による保持力がカードに与えられている間は、主・付勢部材の付勢力と補助・付勢部材の付勢力とを合わせた強い付勢力がスライダに与えられる。接触圧による保持力がカードに与えられなくなった瞬間に、主・付勢部材の比較的弱い付勢力のみがスライダに与えられる。これらにより、所定の装着位置からスライダを確実に排出方向に移動させることができるとともに、接触圧による保持力がカードに与えられなくなったときからは、スライダを緩やかに排出方向へ移動させることができる。すなわち、スライダの移動とともにカードを所定の排出位置まで緩やかに移動させることができる。
【００１６】
また本発明は、上記発明において、上記主・付勢部材と上記補助・付勢部材のそれぞれが、コイルばねから成るとともに、上記補助・付勢部材を形成するコイルばねの長さ寸法を、上記主・付勢部材を形成するコイルばねの長さ寸法に比べて短く設定したことを特徴としている。
【００１７】
このように構成した本発明は、補助・付勢部材を形成するコイルばねの設置スペースが小さくて済む。
【００１８】
また本発明は、上記発明において、上記スライダが、上記カードの側縁部に形成される凹部に係合する弾性部材を有することを特徴としている。
【００１９】
このように構成した本発明は、カードが挿入口から挿入されると、このカードの凹部にスライダの弾性部材が係合し、以後は、この係合状態が保たれることからカードを安定して所定の装着位置に保持できる。また、カード排出位置にあっても、カードの凹部にスライダの弾性部材が係合する状態が保たれることから、カードの飛び出しをより確実に防止できる。
【００２０】
また本発明は、上記発明において、上記スライダが、上記カードの前縁部と係合する係合腕部を有し、上記補助・付勢部材を形成するコイルばねが、上記係合腕部を付勢可能となるように配置したことを特徴としている。
【００２１】
このように構成した本発明は、カードが挿入口から挿入されると、カードの前縁部がスライダの係合腕部に係合する。したがって、カードの挿入に伴ってスライダが主・付勢部材の付勢力に抗して装置奥側に向かって移動する。また、カードの排出時には、主・付勢部材の付勢力と補助・付勢部材の付勢力とを合わせた強い付勢力によってスライダの係合腕部が排出方向へ押圧される。これにより、このスライダが所定の装着位置から排出方向に向って確実に移動し、このスライダの係合腕部に押されながらカードが排出方向に移動する。
【００２２】
また、所定の装着位置においてスライダの係合腕部が位置する個所から装置奥側に向かう空間部分はデッドスペースを形成する。このデッドスペースとなっている空間部分を有効に利用して補助・付勢部材を配置することができる。
【００２３】
【発明の実施の形態】
以下，本発明のカード用コネクタ装置の実施形態を図に基づいて説明する。
【００２４】
図１は本発明のカード用コネクタ装置の一実施形態の外観を示す図で、（ａ）図は平面図、（ｂ）図は側面図、（ｃ）図は（ａ）図のＡ方向から見た図である。図２は本実施形態に使用されるカードを示す図で、（ａ）図は平面図、（ｂ）図は側面図、（ｃ）図は（ａ）図のＢ方向からみた図、（ｄ）図は裏面図である。図３は本実施形態においてカバーを外した状態の要部構成を示す平面図である。
【００２５】
図１の（ａ）〜（ｃ）図に示すように、本実施形態の外観は、本体を形成するシャーシ１上にカバー２を設けたものである。図１の（ａ），（ｂ）図の左端部に形成される挿入口１ａからカバー２の下側に形成される収容部１ｂに、カード３が挿入される。装置の奥側には複数の端子部材９を設けてある。
【００２６】
図２の（ａ）〜（ｄ）図に示すように、本実施形態に使用されるカード３は、側縁部に凹部４を設けてあり、前縁部１４の裏面側には、前述した端子部材９に接触する接触部５を形成してある。
【００２７】
カバー２を外した状態の図３に示すように、本実施形態は一方の側部に、挿入口１ａから挿入されたカード３と係合してカード挿抜方向に、すなわち同図３の左右方向に移動するスライダ７を備えている。このスライダ７は、前述したカード３の凹部４に係合する弾性部材１６を有するとともに、カード３の前縁部１４と係合する係合腕部１５を有している。
【００２８】
また、このスライダ７をカード排出方向へ、すなわち挿入口１ａに向う方向へ付勢する主・付勢部材、例えばコイルばね８を備えている。このコイルばね８は一端がシャーシ１に固定され、他端がスライダ７に連結されている。このコイルばね８のばね力はスライダ７を移動させることができる範囲内のばね力において、比較的弱いばね力に設定してある。
【００２９】
上述したスライダ７が配置されている側部の装置奥側部分には、ハート型カム溝９を備えている。このハート型カム溝９は、往路１０と、復路１１とを有するとともに、往路１０と復路１１の接続部にロック部１２を有している。
【００３０】
さらに、ハート型カム溝９内を摺動し、スライダ７を所定の装着位置にロックする摺動部材１３を備えている。この摺動部材１３は、両端のそれぞれに同図３の紙面と直交する下方に向って延設されるピン部を備えている。一方のピン部はスライダ７に揺動可能に保持され、他方のピン部１３ａはハート型カム溝９内を摺動可能に配置してある。
【００３１】
上述したスライダ７と、主・付勢部材を形成するコイルばね８と、ハート型カム溝９と、摺動部材１３とによって、カード排出機構が構成されている。
【００３２】
本実施形態は特に、同図３に示すように、カード３の排出時に、スライダ７を、所定の装着位置と所定の排出位置との間の所定の中途位置まで付勢する補助・付勢部材例えばコイルばね１７を設けてある。この補助・付勢部材を形成するコイルばね１７の長さ寸法は、主・付勢部材を形成するコイルばね８の長さ寸法に比べて短く設定してある。また、この補助・付勢部材を形成するコイルばね１７は、スライダ７の係合腕部１５を付勢可能なように配置してある。すなわち、後述する所定の装着位置にスライダ７がロックされた状態において、このスライダ７の係合腕部１５が位置する個所から装置奥側に向う空間部分のデッドスペースに、このコイルばね１７を配置してある。
【００３３】
また、上述した所定の装着位置と所定の排出位置との間の所定の中途位置を例えば、カード３の排出に際し、所定の装着位置に保持されているカード３の接触部５と端子部材６との接触状態が解かれる位置に、あらかじめ設定してある。
【００３４】
このように構成した本実施形態の動作について、図４〜８を用いて説明する。
【００３５】
図４はカード３の挿入時の状態を示す要部平面図、図５はカード３が挿入操作に際して、所定の装着位置を越えて一旦装置奥側まで押し込められたオーバストローク状態を示す要部平面図である。図６はカード３が所定の装着位置にロックされた状態を示す要部平面図である。図７はカード３が排出操作に際して、一旦装置奥側まで押し込まれたオーバストローク状態を示す要部平面図、図８はカード３が所定の排出位置まで排出された状態を示す要部平面図である。
【００３６】
［カード３の挿入］
図３に示す待機状態においてカード３が挿入口１ａから収容部１ｂ内に挿入され、押し込まれると、図４に示すように、カード３の前縁部１４がスライダ７の係合腕部１５に係合するとともに、カード３の凹部４がスライダ７の弾性部材１６に係合する。主・付勢部材を形成するコイルばね８は、スライダ７の移動により伸ばされる。この状態で引き続き押し込まれると、スライダ７に取り付けられた摺動部材１３のピン部１３ａがハート型カム溝９の往路１０上を摺動する。カード３を図５に示すように、所定の装着位置を越えるまで押し込む間、補助・付勢部材を形成するコイルばね１７が縮められる。
【００３７】
ここで、カード３に対する押圧力を解くと、ばね８の力とばね１７の力とによってスライダ７が挿入口１ａの方向に僅かに戻される。これに伴ってカード３が挿入口１ａ方向に僅かに戻されるとともに、摺動部材１３のピン部１３ａが図３に示したハート型カム溝９のロック部１２に係止される。これにより図６に示すように、スライダ７が所定の装着位置にロックされる。すなわち、カード３が所定の装着位置に位置決めされる。
【００３８】
この状態においては、コイルばね８は伸ばされており、コイルばね１７は縮められている。また、この所定の装着位置においては、カード３の凹部４にスライダ７の弾性部材１６が係合した状態が保持されるとともに、カード３の接触部５と端子部材６のそれぞれとが接触する状態が保たれる。したがって、カード３に対する信号の送受信が可能となる。
【００３９】
［カード３の排出］
図６に示すようにカード３が保持され、スライダ７がロックされている状態から、カード３を排出するには、カード３が一旦装置奥側に向って押圧され、次いでその押圧を解く操作がなされる。
【００４０】
カード３が一旦装置奥側に向かって押圧されると、図７に示すように、スライダ７の係合腕部１５によって、コイルばね１７が所定の装着位置における状態よりもさらに縮められ、コイルばね８がさらに伸ばされる。これとともに、摺動部材１３のピン部１３ａがハート型カム溝９のロック部１２から外れ、復路１１へと移動する。
【００４１】
このように一旦押圧された状態から、その押圧を解くと、カード３の接触部５と端子部材６とが接触している間は、コイルばね１７のばね力と、コイルばね８のばね力とを合わせた強いばね力がスライダ７に作用する。この強いばね力が、接触部５と端子部材６との接触圧によるカード３の保持力に打ち勝つことによりスライダ７は排出方向へ移動を始める。
【００４２】
カード３の接触部５と端子部材６との接触が解かれた瞬間に、スライダ７に対する付勢力のうちのコイルばね１７による付勢力が消失し、スライダ７はコイルばね８の付勢力のみによって排出方向に移動し、やがて図８に示すように所定の排出位置に至る。この間、摺動部材１３のピン部１３ａはハート型カム溝９の復路１１を摺動する。また、カード３はスライダ７の係合腕部１５で押されて所定の排出位置に至る。このようにカード３が所定の排出位置に至った状態でも、スライダ７の弾性部材１６とカード３の凹部４との係合が引き続き保たれる。
【００４３】
この所定の排出位置において、カード３を把持して引き抜くと、スライダ７の弾性部材１６とカード３の凹部４との係合が解かれ、カード３を抜き取ることができる。
【００４４】
このように構成した本実施形態では、上述のように、カード３の排出に際し、所定の中途位置までは、主・付勢部材を形成するコイルばね８のばね力と、補助・付勢部材を形成するコイルばね１７のばね力とを合わせた強いばね力がスライダ７に与えられる。これにより所定の装着位置における接触圧によるカード３の保持力に抗してスライダ７を確実に移動させることができる。すなわち、スライダ７と係合するカード３を排出方向へ移動させることができる。
【００４５】
また、所定の中途位置、すなわちカード３の接触部５と端子部材６との接触が解かれる位置から所定の排出位置までの間は、コイルばね８の比較的弱いばね力だけでスライダ７を所定の排出位置まで緩やかに移動させることができる。これによりスライダ７を介してカード３を挿入口１ａから飛び出さないように移動させることができる。
【００４６】
本実施形態は、コイルばね８のばね力と、コイルばね１７のばね力とを適宜組み合わせることにより、挿入口１ａからのカード３の飛び出し防止と、カード３の排出不良の防止の双方を実現させることができ、装置に対する高い信頼性を確保することができる。
【００４７】
また本実施形態は、カード３の排出時に、コイルばね１７によるスライダ７の付勢が解除される所定の中途位置を、カード３の接触部５と端子部材６との接触状態が解かれる位置に設定してある。これにより、所定の中途位置から所定の排出位置までのスライダ７の移動距離を長く設定できる。この長い移動距離の間、コイルばね８のばね力によりスライダ７を排出方向に移動させるので、スライダ７の移動速度が安定し、カード３の挿入口１ａからの飛び出しを確実に防止できる。
【００４８】
また本実施形態は、補助・付勢部材を形成するコイルばね１７の長さ寸法を、主・付勢部材を形成するコイルばね８の長さ寸法に比べて短く設定してある。これにより、コイルばね１７の設置スペースが小さくて済み、装置の大型化を抑制できる。
【００４９】
また本実施形態は、スライダ７が、カード３の側縁部に形成される凹部４に係合する弾性部材１６を有している。これにより、所定の装着位置においてカード３がスライダ７に安定して保持され、カード３の接触部５と端子部材６間の良好な接触を維持させることができ、精度の高い信号送信性能を確保できる。
【００５０】
さらに、カード排出位置にあっても、カード３の凹部４にスライダ７の弾性部材１６が係合する状態が保たれ、これによっても挿入口１ａからのカード３の飛び出しを確実に防止できる。
【００５１】
また本実施形態は、スライダ７が、カード３の前縁部１４と係合する係合腕部１５を有し、コイルばね１７が、係合腕部１５を付勢可能なように配置してある。これによりカード３の挿入時には、係合腕部１５を介してスライダ７を装置奥側に向って移動させることができ、カード３の排出時には、係合腕部１５を介してカード３を所定の排出位置まで移動させることができる。すなわち、スライダ７とカード３とを一緒に移動させることができ、スライダ７とカード３の安定した移動を実現させることができ、これによっても装置の信頼性を確保できる。
【００５２】
また、所定の装着位置において、スライダ７の係合腕部１５が位置する個所から装置奥側に向かう空間部分であるデッドスペースに、コイルばね１７を配置してある。これによりデッドスペースを有効に利用でき、装置の大型化の抑制に貢献する。
【００５３】
【発明の効果】
本発明は以上のように、カードの排出時に、スライダを、所定の装着位置と所定の排出位置との間の所定の中途位置まで付勢する補助・付勢部材を備えた構成にしてある。これにより、カード排出時のカードの挿入口からの飛び出しと、カードの排出不良の双方を防止でき、従来に比べて装置に対する信頼性を向上させることができる。
【００５４】
また本発明は、所定の中途位置を、カードの接触部と端子部材との接触状態が解かれる位置に設定してある。これにより、所定の中途位置から所定の排出位置までの主・付勢部材のみによって付勢されるスライダの移動距離を長く設定でき、スライダの移動速度が安定し、カードの挿入口からの飛び出し防止に貢献する。
【００５５】
また本発明は、主・付勢部材と補助・付勢部材のそれぞれが、コイルばねから成るとともに、補助・付勢部材を形成するコイルばねの長さ寸法を、主・付勢部材を形成するコイルばねの長さ寸法に比べて短く設定してある。これにより、補助・付勢部材を形成するコイルばねの設置スペースが小さくて済み、装置の大型化を抑制できる。
【００５６】
また本発明は、スライダが、カードの側縁部に形成される凹部に係合する弾性部材を有する。これにより、所定の装着位置においてカードがスライダに安定して保持され、カードの接触部と端子部材間の良好な接触を維持させることができ、精度の高い信号送受信性能を確保できる。また、カード排出位置にあっても、カードの凹部にスライダの弾性部材が係合する状態が保たれ、カードの挿入口からの飛び出し防止に貢献する。
【００５７】
また本発明は、スライダが、カードの前縁部と係合する係合腕部を有し、補助・付勢部材を形成するコイルばねが、係合腕部を付勢可能となるように配置してある。これにより、係合腕部を介してスライダとカードとを一緒に移動させることができ、スライダとカードの安定した移動を実現でき、装置に対する信頼性の向上に貢献する。また、所定の装着位置において、スライダの係合腕部が位置する個所から装置奥側に向かう空間部分であるデッドスペースに補助・付勢部材を設置できる。すなわちデッドスペースを有効に利用でき、装置の大型化の抑制に貢献する。
【図面の簡単な説明】
【図１】本発明のカード用コネクタ装置の一実施形態の外観を示す図で、（ａ）図は平面図、（ｂ）図は側面図、（ｃ）図は（ａ）図のＡ方向から見た図である。
【図２】本実施形態に使用されるカードを示す図で、（ａ）図は平面図、（ｂ）図は側面図、（ｃ）図は（ａ）図のＢ方向から見た図、（ｄ）図は裏面図である。
【図３】本実施形態においてカバーを外した状態の要部構成を示す平面図である。
【図４】本実施形態の動作を示す図で、図２に示すカードの挿入時の状態を示す要部平面図である。
【図５】本実施形態の動作を示す図で、図２に示すカードが挿入操作に際して、所定の装着位置を越えて一旦装置奥側まで押し込まれたオーバストローク状態を示す要部平面図である。
【図６】本実施形態の動作を示す図で、図２に示すカードが所定の装着位置にロックされた状態を示す要部平面図である。
【図７】本実施形態の動作を示す図で、図２に示すカードが排出操作に際して、一旦装置奥側まで押し込まれたオーバストローク状態を示す要部平面図である。
【図８】本実施形態の動作を示す図で、図２に示すカードが所定の排出位置まで排出された状態を示す要部平面図である。
【符号の説明】
１　　シャーシ（本体）
１ａ　挿入口
１ｂ　収容部
２　　カバー
３　　カード
４　　凹部
５　　接触部
６　　端子部材
７　　スライダ
８　　コイルばね（主・付勢部材）
９　　ハート型カム溝
１０　往路
１１　復路
１２　ロック部
１３　　摺動部材
１３ａ　ピン部
１４　　前縁部
１５　　係合腕部
１６　　弾性部材
１７　　コイルばね（補助・付勢部材）
【図１】
2004086725.tif 000003
【図２】
2004086725.tif 000004
【図３】
2004086725.tif 000005
【図４】
2004086725.tif 000006
【図５】
2004086725.tif 000007
【図６】
2004086725.tif 000008
【図７】
2004086725.tif 000009
【図８】
2004086725.tif 000010